(57)【要約】  ベッド内の人の位置の変化を検出するための測定装置は、横臥面（１）の中央の領域内でベッドに対して横方向に配置されており、そこで少なくとも二つの互いに間隔おいて配置された支持領域に支持されている橋部（１０）を備えている。橋部（１０）は、横臥面（１）上にあるマットレスを支持する。支持領域の少なくとも一つにあって、測定装置はセンサ（１３，１３ａ）を備えている。制御部（２１）は、これらのセンサ（１３，１３ａ）の測定値に基づいて、橋部（１０）にかかる重量分布の重心位置を検出し、かつベッドに寝ている人の運動の活動性が不十分である場合に、警報を作動させる。
2014524792.tif 000002
【特許請求の範囲】
【請求項１】
担持装置により担持された横臥面（１）と横臥面上にあるマットレスを備えたベッド内の人の位置の変化を検出するための測定装置において、
マットレスを支持し、かつ支持された負荷を担持装置に伝達するための少なくとも一つの縦長の橋部（１０）が構成されていること、
この橋部（１０）が少なくとも一つの部分（２３ａ，２３ｂ，２３ｃ）を備えた少なくとも一つのプレート（２３）を備え、この部分が曲げに強く構成されているか、あるいは曲げ強さを高めるための構造または要素を備えていること、そして
支持された負荷と担持装置の間の力伝達経路内に、支持された負荷の負荷を分散させることにより影響を受けやすい測定値を検出するための少なくとも一つのセンサ（１３，１３ａ）が配置されていることを特徴とする測定装置。
【請求項２】
センサ（１３，１３ａ）あるいは複数のセンサ（１３，１３ａ）の内少なくとも一つが、力センサ（１３ａ）、特に圧力および／または張力により衝突可能な電気抵抗がある力センサ（１３ａ）あるいは歪ゲージであることを特徴とする請求項１記載の測定装置。
【請求項３】
橋部（１０）が少なくとも二つの互いに間隔をおいて設けられた支持領域（２４）を備えており、この支持領域（２４）が、
ａ）担持装置により直接支持されており、一つあるいは複数のセンサ（１１，１１ａ）が一つあるいは複数の支持領域（２４）にあっては橋部（１０）もしくは担持装置に、あるいは橋部（１０）と担持装置の間に配置されており、あるいは
ｂ）接続手段を介して担持装置により間接的に支持されており、一つあるいは複数のセンサ（１１，１１ａ）が一つあるいは複数の支持領域（２４）にあっては橋部（１０）もしくは接続手段に、あるいは橋部（１０）と担持装置の間に、あるいは接続手段と担持装置の間に、あるいは担持装置に配置されていることを特徴とする請求項１または２に記載の測定装置。
【請求項４】
プレート（２３）の支持領域（２４）の内の少なくとも一つが、スペーサ（２５）を用いて、担持装置に直接または間接的に支持されていること、
この支持領域（２４）あるいはスペーサ（２５）が、弾性の構造を備えていること、そして、
少なくとも一つのセンサ（１３，１３ａ）が、この弾性の構造におけるプレート（２３）あるいはスペーサ（２５）に配置されていることを特徴とする請求項２または３に記載の測定装置。
【請求項５】
プレート（２３）が二つあるいはそれより多くの曲げに強い部分（２３ａ，２３ｂ，２３ｃ）を備えた請求項３に記載の測定装置において、
隣接した部分（２３ａ，２３ｂ，２３ｃ）が各々、関節によってあるいは可撓に互いに接続しているか、あるいは固定しないで相並んで配置されていることを特徴とする測定装置。
【請求項６】
プレート（２３）の両外側の部分（２３ａ，２３ｂ，２３ｃ）の少なくとも一方に、少なくとも二つの互いに間隔をおいて設けられた支持領域（２４）が構成されていること、
これらの部分（２３ａ，２３ｂ，２３ｃ）がスペーサ（２５）を用いて、各々の部分（２３ａ，２３ｂ，２３ｃ）に割当てられた共通の接触プレート（２７ａ，２７ｂ）に支持されていること、そして
支持領域（２４）あるいはスペーサ（２５）が、センサ（１３，１３ａ）を備えた弾性的な構造を備えていることを特徴とする請求項５に記載の装置。
【請求項７】
支持領域（２４）が接続手段を介して担持装置により間接的に支持されている請求項３に記載の測定装置において、
接続手段の内の少なくとも一つが、担持装置に固定可能な担持要素（１７）であること、そして、
少なくとも一つのセンサ（１３，１３ａ）が、この担持要素（１７）に配置されていることを特徴とする測定装置。
【請求項８】
橋部（１０）が５ｃｍ〜４０ｃｍの範囲の幅Ｂを備えていること、そして、
橋部（１０）の構造高さが３ｃｍ未満であることを特徴とする請求項１〜７のいずれか一つに記載の測定装置。
【請求項９】
一つあるいは複数のセンサ（１１，１１ａ）が制御部（２１）と接続しており、この制御部（２１）の全体あるいは一部が、橋部（１０）から独立して配置可能なケーシングに、あるいは前記制御部の全体あるいは一部が、橋部（１０）内に配置されていること、そして、
この制御部（２１）が、センサ（１３，１３ａ）の測定値を検出しかつ処理するための手段、特に重心位置あるいは橋部（１０）にかかる重量分布の重心位置の変化を検出するための手段、ならびに床ずれの危険を判断するための運動の活動性を光学式におよび／または音響式におよび／または電気的に表示するための手段を備えていることを特徴とする請求項１〜８のいずれか一つに記載の測定装置。
【請求項１０】
前記制御部（２１）が通信用インターフェースを備えていることを特徴とする請求項９に記載の測定装置。
【請求項１１】
請求項１〜１０のいずれか一つに記載の測定装置を備えたベッドであって、
背中部分（５）と中央部分（９）と足部分（７）を備えたベッドにおいて、
橋部（１０）が、横臥面（１）の背中部分（５）あるいは中央部分（９）に構成されているか、あるいは配置されていることを特徴とするベッド。
【請求項１２】
請求項１１に記載のベッドにおいて測定値を処理するための方法において、
一つあるいは複数のセンサ（１３，１３ａ）の測定値に基づいて、橋部（１０）にかかる重量の重心の相対位置を確定すること、
重心位置の値および／または一つあるいは複数のセンサ（１３，１３ａ）の測定値の値を定期的に保存すること、
重心位置の変化を監視すること、
運動の活動性が不十分であるかを保存された基準と比較して確定すること、そして
運動の活動性が不十分である場合に、警報を作動させることを特徴とする方法。
【発明の詳細な説明】
【技術分野】
【０００１】
本発明の対象は、請求項１の上位概念によるベッドにいる人の長手方向位置の変化を検出するための測定装置、請求項１１の上位概念による測定装置を備えたベッド、および請求項１２の上位概念によるベッドにおける測定値を検出するための方法である。
【背景技術】
【０００２】
人が長い時間動くことなくベッドに寝ていると、体の負荷をかけられる圧力を受ける場所に床ずれを生じる恐れがある。その際に、皮膚と皮膚下にある組織は局部的に損傷を被る。このような床ずれは、褥瘡、褥瘡性潰瘍あるいは床ずれ潰瘍とも呼ばれる。
【０００３】
健康な人々の場合、床ずれの危険は少ない。その理由は、人々が自分の姿勢を自分自身で睡眠中に幾度も変えることにある。介護の必要な人々の場合、それとは逆に、自力で姿勢を変えるための力を損なわれているか、あるいは邪魔をされている恐れがある。従って介護の必要な人々は、一般に介護スタッフにより監視され、かつ規則的に位置を変える必要がある。介護する介護スタッフが、危険に曝された人々を監視し、かつ位置を変えるには、労力がかかり、かつ費用もかさむ。床ずれの危険の可能性は、多くの場合、正確には判断されない。従って過度の負荷をかけられ、および／または不十分に管理された介護の必要な人々の場合、介護の必要な人が床ずれを被る危険が存在する。他方またこれにより、このような人々を介護する場合に、予め配慮された処置が適切だった場合に回避可能なはずであった事後負担金が生じる。
【０００４】
特許文献１は、床ずれの予防に関する方法と装置を開示しており、患者の人体箇所の圧力値が測定される。その際に、患者は格子構造体に配置されている多くの圧力センサを備えたわき腹に負荷がかかるマットに寝る。マットは、少なくとも肩から臀部までの体の領域が測定領域に載る程度に大きい。マットは体の形状に良好に適合可能であり、かつ洗濯がきき、および／または殺菌可能または消毒可能な合成樹脂から製造されている。センサは、ＡＤ変換器を介して測定データを処理するためのコンピュータあるいはノートＰＣと接続している。コンピュータはセンサの圧力データを処理し、かつ監視される人の圧力負荷が高すぎ、かつ人のベッドを新しくするか、あるいは人を別のベッドに移す必要がある場合に、光学式あるいは音響式の警報を発信する。
【０００５】
多くのセンサにより、比較的大きい測定領域内部において、圧力分布の細分化された検出が可能になる。しかしセンサ信号の処理は、相対的に複雑である。効果的な床ずれの予防のために、局所的な圧力を受ける場所と横臥領域の大部分にわたる圧力分散は必ずしも必要ではない。基本的に、危険に曝された圧力を受ける場所の十分な負荷軽減をもたらす、人の位置変化を検出することは満たされる。監視されるべき人はマット上にほぼ直接寝ている必要があるので、場合によっては現存する、マットより低い位置の人の状況にふさわしい支持および／または監視のために配置されている、すなわち例えばマットレス内にあるいはマットレスに隣接するようにして配置されているその他の手段の効果は損なわれる恐れがある。さらに衛生的な高い水準のマットを満足させる必要がある。掃除と消毒によって、さらに付加えられる手入れの費用が発生する。さらに作動および掃除の際にセンサとＡＤ変換器の間の多くの測定ケーブルは邪魔をするように影響を与える。
【先行技術文献】
【特許文献】
【０００６】
【特許文献１】独国特許出願公開第４２４０７８２号明細書
【発明の概要】
【発明が解決しようとする課題】
【０００７】
従って本発明の課題は、ベッド上での人の位置の変化を簡単な様式で検出し、かつ分析することを可能にするベッド用の測定装置を提供することである。「ベッド」という概念は、マットレスあるいは相当する別の横臥する敷物を備えた任意の横臥する器具を含んでいる。この器具には、マットレスが例えばスラットフレームのような横臥面に載っており、かつこの横臥面がバッドの架台に支持されている、特に療養ベッドおよびベッドが属している。
【０００８】
本発明の別の課題は、この測定装置が可動であり、さらに現存するベッドにあっては後付けで使用でき、測定装置の取付および手入れのための費用ができるだけ少ないように測定装置を構成することにある。
【０００９】
また本発明の別の課題は、床ずれ予防のための測定装置を備えたベッドを提供することにあり、その際に、この測定装置はベッドのその他の機能をできるだけ減らさない。
【００１０】
本発明の別の課題は、測定装置の測定値を処理するための方法にあり、この方法より、ベッドに寝ている人の床ずれを防ぐのに必要な再配置（Ｕｍｌａｇｅｒｕｎｇ）を認識でき、かつ信号で知らせることができる。
【課題を解決するための手段】
【００１１】
これらの課題は、請求項１の特徴による測定装置、請求項１１の特徴によるベッド、および請求項１２の特徴による測定値を処理するための方法により解決される。
【００１２】
本発明は、ベッドに寝ている人の床ずれの危険が、特にこの人の骨盤領域における定期的な姿勢の変化、あるいは臀部領域または骨盤領域においてマットレスに作用する体重の重心の位置の変化に基づいて、標準的に判断することができるという認識に基づいている。骨盤領域の姿勢の変化は、同様に危険にさらされている別の体の部分における移動あるいは支持圧力の変化によっても起こる。人が骨盤の位置あるいはか骨盤領域における重量分布を自主的に所定の期間内で数回にわたり変えると、床ずれの危険は少ない。従って、床ずれに関する危険を早めに認識するためには、人の骨盤領域における移動あるいは姿勢の変化を監視することで十分である。このことは、ベッドの横臥面の中央領域で、ベッドの中央領域で担持される負荷の重心の位置を横臥面の長手方向に対して横方向に検出することにより達せられる。監視されるべき人の骨盤領域は、横臥面のこの中央の領域において支持される。人が動くと、重量負荷のお分布が変わり、同時にこの中央の領域における重心の位置も変わる。ベッドに対して横方向に重心位置を検出するために、人の頭部領域と脚部領域の間の横臥面の中央領域に、橋部構造が配置されており、この橋部構造はマットレスに寝ている人の骨盤領域内のマットレスを支持する。橋部構造は、今後は手短に橋部と呼ぶが、第一の実施形態においては、曲げに強い横木あるいは縦長のプレートを備えており、その長さは使用されるべきベッドの少なくともほぼ幅に相当している。少なくともプレートの両端部の領域で、プレートはベッドの架台あるいは一般には担持装置での支持、担持、支承あるいは保持に適した、支持箇所あるいは支持領域を備えている。橋部あるいはベッドの実施形態に応じて、支持は例えば横臥面の脇に構成されたベッド架台の長手方向桁桁材に沿って直接行われる。さらに架台におけるプレートの支持は、接続手段を介して間接的に行われる。このような接続手段は、ベッド架台の要素および／または測定装置の要素備えていてもよい。特にベッド架台のクロスブレースあるいはスラットフレームのスラットは接続手段として使用できる。
【００１３】
本発明の特に好ましい実施形態の場合、橋部は曲げに強いプレートの下方で僅かな間隔をおいて、高い曲げ強さの別のプレートを備えている。上側の曲げに強いプレートは、より短い両端部における支持箇所の領域において、支持体あるいは間隔保持体を用いてした側のプレートに支持されている。局所的に支持された重量を検出するためのセンサは、支持箇所の領域において、プレートそれ自体に、支持体に、あるいはプレートの下方に配置された支持プレートに、または一般的には接続手段に形成されていてもよい。その曲げ強さによって、支持プレートは様々な担持装置あるいはベッドの架台において支持されてもよい。支持体のすぐ下に間隙あるいは窪みがベッド架台内にある場合、支持体はそれ自体下側のプレート上に載っている。橋部にかかっている重量は、どのベッドの場合でも、ベッド架台の両長手方向桁材上に確かにかけることができ、センサは両長手方向桁材にかかる受領負荷の分布に関する情報を供給する。
【００１４】
橋部は両プレートが嵌め込まれている、合成樹脂から成る洗濯可能でかつ取外し可能なケースを備えているのが好ましい。センサ信号を評価するための制御は、部分的にあるいは完全に、例えばケース内部の両プレート間に配置されていてもよい。
【００１５】
橋部の領域内でセンサ信号をデジタル化するためのＡＤ変換器を備えた制御部の少なくとも一部は、橋部、例えば両プレート間の領域に配置されている。それにより、妨害信号の影響は最小限にすることができる。ケース内部の電子機器は、外部に案内された接続ケーブルを介して橋部の外部に配置された制御部の部材と接続できる。
【００１６】
代替え的に、ケース内部の制御部材と外部の制御部材の間の通信を行うための無線通信も使用することができる。
【００１７】
橋部の領域内に付加的に、例えば誘導性の充電装置を用いて非接触で充電可能である蓄電池が配置されていると、ケースは選択的に密閉した状態で閉鎖できる。センサの測定値から、プレートあるいは一般的には橋部もしくは横方向接続部にかかる重量分布の変化の制御を行うことができる。
【００１８】
好ましい実施形態において、橋部は一つあるいは複数の電気抵抗のある力センサあるいは圧力センサ、特に短縮してＤＭＳとも呼ばれる歪ゲージを備えており、この歪ゲージは各々の圧縮荷重あるいは引張荷重に依存してその電気抵抗を変化させる。代替え的に、センサの測定値が橋部に作用する負荷分布に依存して変わる、別の物理的な原理により作動するセンサ、例えば重量負荷分布に依存した橋部の変形を検出できる光学式の、コンデンサ容量による、あるいは誘導性のセンサも使用できる。
【００１９】
基本的に、圧電式の力センサも使用できる。しかし、これらのセンサは一般的に動的事象を検出すためにだけ使用されている。静的重量負荷分布あるいはベッドに対して横方向への重心位置を検出するために、そのドリフトに基づいた能動的な圧電式変換器はむしろ不適当である。だが受領負荷分布の変化の検出は可能である。
【００２０】
重量センサを備えた橋部の実施形態の場合、重量センサができる限り横方向要素の負荷圧力だけをベッド架台の一方の側で検出するようにセンサは配置されているのが好ましい。横たわっている人の骨盤領域における重心位置に依存して、橋部にあってはベッド架台の両横の支持領域間の重量負荷分布が変化する。
【００２１】
従って、監視されるべき人の骨盤領域の重心位置が変化すると、センサに検出される測定値が変化する。測定値を検出し、かつ評価するためにセンサは制御部と接続している。
【００２２】
上側の曲げに強いプレートあるいは曲げに強いプレート部分だけでなく、可撓かつ弾性的な支持プレートも金属、好ましくは耐食性の鋼から製造されている。曲げ強度を高めるために、上側のプレートあるいは上側のプレート部分は、曲げられて約９０°だけ折れ曲がった長手方向縁部および／または長手方向に延びる強化リブ備えていてもよい。
【００２３】
最終的に、プレートは例えばプレートに沿った深絞りによってそれ自体形を整えられてもよい。さらに代替え的あるいは付加的に、強化要素は合成樹脂あるいは別の材料から成る縦長の輪郭の形状で、プレートに貼り付けられるか、あるいは適切な別の方法でプレートに接続されてもよい。
【００２４】
橋部の代替え的な実施形態の場合、プレートの外側の両端の支持領域の間に、付加的に別の支持領域が構成されていてもよく、これらの別の支持領域はベッド架台あるいは担持装置に直接もしくは間接的に、例えば支持された状態で支持要素を用いて、その下方に配置された可撓で弾性的な支持プレート上に、あるいはベッドスラットまたはバッド架台の横方向接続部に、あるいは横臥面に支承されている。
【００２５】
別の有利な実施形態において、橋部の上側のプレートは、複数の、例えば二つあるは三つの組合された曲げに強い部分を備えている。隣接したプレート部分の接続は、例えばストリップにより関節を利用してもしくは一般的に曲げやすく、すなわちリベット、溶接、粘着を介して、あるいはそれ以外の方法で行われる。さらに付加えたセンサは、隣接したプレート部分の接続箇所の領域に配置できる。このような橋部は、彎曲した横臥面を備えたベッドであっても、例えばベッドスラット上にあるいはスラットフレームの二つの隣接したベッドスラット上に置かれてもよく、かつこの横臥面の形状に合う。さらに代替え的に、プレートがそこに例えば低い強度を備えており、および／または曲げ強度を高める強化要素を備えていないことにより、高い曲げ強度を備えた部分の間の一体型のプレートの場合でも可撓な領域が構成できる。
【００２６】
プレートが支持領域あるいは支承領域において切り通しあるいは凹部を備えているのは任意であってもよく、このような切り通しあるいは凹部は、スプリングボード状で、ほんの少しだけ弾性的に変形可能な舌状部を露出させており、これらの舌状部は幅の狭いウェブを介してのみ隣接したプレート領域と接続している。この接続ウェブの領域において、センサは歪ゲージの形態で配置されている。
【００２７】
基本的に、金属プレートの一つあるいは複数の支持領域は、各々それ自体同様にベッド架台に支承されている共通の接続手段に支持されていてもよい。接続手段は、橋部または上側のプレートとベッド架台の間で力を伝達するために使用される。さらに代替え的な実施形態において、一つあるいは複数のセンサが接続手段それ自体にもあるいは接続手段と橋部またはプレートの間に、もしくは接続手段とベッド架台の間に構成されていてもよい。
【００２８】
本発明により構成された橋部を備えた測定装置は持ち運びができ、かつ測定装置が様々なベッドにも、底部に載っているマットレスにも使用可能であり、取付けの際にどんな種類の工具も必要でないように構成されていてもよい。好ましくは２０〜２５ｍｍより小さい低い構造高さのおかげで、橋部は様々なベッドにおいて問題を起こすことなくマットレスとベッド架台の横臥面の間に配置することができる。橋部の幅が狭いことにより、様々なベッドでの使用が可能となる。測定装置は、機能を損なうことなく、湿気を通さない合成樹脂から成るケースを飛沫保護部として備えている。
【００２９】
本発明の別の代替え的実施形態において、橋部は一つあるいは複数の曲げに強い部分を備えていてもよく、これらの部分はガーデンリクライニングチェアの上張り材に似て、長手方向桁材のフレーム内で張って固定されており、かつ張力に耐えるセンサを備えている。このような実施形態において、センサ、好ましくは張力に耐える歪ゲージは上張り材あるいは橋部の縁部領域にある。従って「支持領域」という概念は、広く解釈できる。支持領域は、ベッド架台に直接または間接的に支持される曲げに強い橋部の区域あるいは領域だけでなく、一般的には橋部あるいは橋部とベッド架台の間の接続部の区域あるいは領域も含んでおり、これらの区域あるいは領域では、橋部を担持するための力あるいは捩じりモーメントがベッド架台に伝達される。
【００３０】
測定装置の制御部は、橋部の領域において、センサ信号を検出してデジタル化するためのＡＤ変換装置を有する評価電子機器を備え、独立した外部のハウジングには、センサ信号を評価し、ならびに警報信号を出力するための制御部を備えている。
【００３１】
さらに代替え的に、センサ信号は、例えば橋部近くの制御部によって直接、そこに配置されたプロセッサによりさらに処理され、かつ評価されてもよい。制御部はセンサ信号の時間の経過を保存できるように構成されているのが好ましい。さらに代替え的に、測定値処理部から導出される情報も保存できる。このように制御部は例えば処理命令部を備え、この処理命令部は、測定値から、人の床ずれを阻止するのに必要である人の運動を探し出すことができる。設定可能な最小の強さを備えた運動だけが有意味な運動として検出されるのが好ましい。その際に、時間的状況あるいは加速度のようなさらに付加えられる基準が考慮されてもよい。
【００３２】
運動の頻度と強度が、ある種の、制御部で設定された参照基準に一致しない場合、制御部は警報信号を出力する。監視されるべきすべての人のための制御部には、各々の健康状態に依存して個別の参照間隔を設定することができる。監視されるべき人において相次いで起こる有意味な二つの運動が、このような参照間隔の設定された期間を超えると、警報信号が出力される。
【００３３】
制御部の外部の制御機器は、緑色のランプ、黄色のランプおよび赤色のランプを備えた表示器を交通信号灯に相当するように備えているのが好ましい。
【００３４】
期間が検出される有意味な運動もなく第一の参照値を超えると、表示器は緑色から黄色に変わる。期間が検出される有意味な運動もなく第二のお参照値を超えると、表示器は黄色から赤色に変わる。付加的にあるいは代替え的に、音響による警報信号も出力でき、および／または対応する通信接続部を介して警報装置が患者の部屋においてあるいは中央監視ステーションにおいて作動されてもよい。
【００３５】
さらに制御部は、測定値の処理の際に共同で使用できる参照値を検出するためにも構成されていてもよい。従って、人がベッド上の決まった位置に寝ていると、特に橋部の重心に合致した負荷をかけることが、橋部のほぼ中心で行われると、例えば一つあるいは複数のセンサにより検出される測定値を保存することができる。付加的にあるいは代替え的に、制御部には監視されるべき人の体重あるいはその他のパラメータも与えることができる。これらのパラメータおよびセンサの測定値と協働して、制御部は床ずれの予防に必要な姿勢の変化だけでなく、ベッドの横方向の人の位置も監視できる。代替え的にあるいは付加的に、人からの情報を例えば呼吸あるいは脈拍のような体の機能を介して得るために、測定値は例えば様々な方法でフィルタにかけ、あるいは様々な方法でまた別の処理をすることができる。
【００３６】
測定装置は二つあるいはそれより多くのセンサを備えているのが好ましい。これらのセンサの少なくとも各々一つずつは、橋部の最外部の支持領域の領域において、センサがこの領域内でベッド架台上の橋部の負荷圧力を検出できるように配置されている。
【００３７】
両方の最外部の支持領域の間では、橋部がその他のセンサを備えている。
【００３８】
考えが一致した図に基づいて、本発明を以下に詳細に説明する。
【図面の簡単な説明】
【００３９】
【図１】ベッドの横臥面における橋部の第一の機構を示す図である。
【図２】センサを備えた担持要素上の橋部を支持するための、伝達要素の領域における、図１の機構の詳細図である。
【図３】担持要素の領域における、図１の機構の横断面図である。
【図４】ベッドの横臥面における橋部の第二の機構を示す図である。
【図５】図４の橋部の側面図と平面図である。
【図６】一つあるいは複数のセンサを備えた橋部の支持部と測定値検出の概略図である。
【図７】ベッドの横臥面における複数の脚部の機構を示す図である。
【図８】別の脚部の斜視図である。
【図９】図８の機構の側面図の概略図である。
【発明を実施するための形態】
【実施例】
【００４０】
図１は、例えばマットレスを敷くための、入院患者と社会福祉施設のベッドで使用されるような横臥面１を示す。横臥面１は二つの平行な長手方向桁材３を備えており、その間には背中部分５と脚足部分−以下短く足部分７と言う−が旋回可能に支承されている。長手方向桁材３の両端部には、（図示していない）ベッドの架台−以下また短く架台と言う−に固定するための固定板１１が形成されている。長手方向桁材３は、ベッドの代替え的な実施形態においては、架台の横臥面１を担持する構成要素として構成されている。背中部分５と足部分７の間に、横臥面１は従来のベッドの場合には、中間部分９、例えば堅い金属構造体を備えており、この金属構造体は、一般的に両長手方向桁材３と堅く接続しており、かつ両長手方向桁材に対して不動である（図示していない）。中間部分９は、例えばベッドに寝ている人の骨盤の領域において、ベッドに対して横方向に延びている。
【００４１】
本発明によれば、この中間部分９は橋部１０として形成されるか、あるいはこのような橋部１０により補われ、もしくはこのような橋部と交換される。この橋部１０は、少なくとも一つのセンサ１３を備えた測定装置の構成要素であり、センサの測定値は橋部１０上に作用する負荷分布に左右されて変わり易い。橋部１０は力伝達手段として形成されている。橋部は、横臥面の部材として横臥面にかかる重量を支持し、かつそれ自体他方では長手方向桁材３あるいはベッドの架台により支持される。
【００４２】
図１による第一の実施形態において、橋部１０はその長手方向縁部に沿って曲げられた剛性の有る金属板を備えている。幅の狭い両縁部のどちらの領域内で、この金属板は、例えば直方体形状の各々二つずつの指示要素１５の形状の接続手段によって力センサ１３ａの各々の重量量定面で支持されている。重量量定面は例えばＬ字に曲げられた、各々の長手方向桁材３に固定された支持要素１７の弾性のある舌状体として形成されている。図２にはこのような機構の詳細が側面図で示してあり、図３は伝達要素１５の一つの領域の横断面図を示す。圧力兼力センサ１３ａは、橋部１０の負荷に対して最大の感度を有するように、橋部１０と長手方向桁材３の間の伝達領域内に取付けられる。従って、力センサ１０ａの様式に応じて、例えば相対的に大きな弾性変形を有する場所、あるいは相対的に大きな支持圧力を有する場所有利であってもよい。力センサ１３ａあるいは一般的にセンサ１３は、橋部１０により支持される荷重と担持装置あるいは長手方向桁材３の間の力伝達経路の異なる場所に、例えば力伝達経路内にある、橋部１０それ自体に、接続手段の一つに、特に伝達要素１５に、長手方向桁材３の支持要素、あるいは二つの隣接した部材の間に配置されていてもよい。
【００４３】
一つあるいは複数のセンサ１３あるいは力センサ１３ａは、一つあるいは複数の接続ケーブル１９を介して電子制御部２１と接続しており、この電子制御部は測定値を評価し、かつこの電子制御部により、例えば光学式あるいは音響式の警報機能関する制御要素が作られる。電子制御部２１あるいはこの電子制御部２１の一部は、橋部１０にも、あるいは一つあるいは複数のセンサ１３，１３ａがある場合にも配置されてもよい。特に、センサ１３，１３ａは例として挙げれば、例えばＡＤ変換器のような電子制御機器および／または電子評価機器を備えている（図示していない）。複数のセンサ１３，１３ａは、制御および／または評価のために、共通の電子機器も備えることができる（図示していない）。電子制御部２１の少なくとも一部は、ケーシング内に配置されており、このケーシングは必要に応じてベッドの様々な場所、例えばベッドの架台の頭部端部あるいは脚部端部に固定できるのが好ましい。電子制御部２１は、表示器、光学式および／または音響式の警報器、ボタンあるいは機器の機構に作用を与えるための（を操作するための）別の入力手段、およびインターフェース、例えば（図示していない）他の機器と通信するためのイーサネット接続用のコネクタを備えているのが好ましい。
【００４４】
図４は横臥面における橋部１０の代替え的実施形態を示す。この橋部１０は図５において側面図と平面図で示してある。橋部はほぼ長方形で縦長であり、好ましくは金属製の、ほぼベッドの幅に相当する長さＬと実施形態に応じて約５ｃｍから約４０ｃｍの範囲であってもよい幅Ｂを備えたプレート２３を備えている。プレート２３の幅Ｂは、例えばプレートが横臥面１の中央部分幅に相当するように寸法を定めることができる。代替え的実施形態において、プレート２３の幅は、例えばスラットフレーム（Ｌａｔｔｅｎｒｏｓｔ）のベッドスラット（Ｂｅｔｔｌａｔｔｅ）の幅、あるいはスラット間の中間空間を含めた、二つあるいは三つ以上のスラットの幅に相当してもよい。プレート２３は例えば単一材料あるいは複数材料で複数の部分２３ａ，２３ｂ，２３ｃから製造できる。隣接した部分２３ａ，２３ｂ，２３ｃは、互いに接続している。これらの接続を行うために、例えば溶接、接着あるいはリベットのような様々な接合技術を使用することができる。
【００４５】
特に隣接した部分２３ａ，２３ｂ，２３ｃは、溶接された鋼ストリップを用いて互いに関節でつないで接続できる。部分２３ａ，２３ｂ，２３ｃの様々な厚さおよび／または材料および／または重なり領域により、例えばこれらの部分の曲げ強さのような橋部１０の機械特性は、各々の要求に適合させることができる。少なくとも幅の狭いプレート両端部の領域において、好ましくはレーザーを用いて、Ｔ字形のスプリングボード様式の構造をプレート２３内に刻むことができる。これらの構造は、支持箇所あるいは支持領域を形成しており、そこにはプレート２３が、直接あるいは間接的に適した接続手段を介して、ベッドの骨組みあるいは長手方向桁材３に支持されるかあるいは担持されてもよい。荷重の際にほんの少しだけ弾性的に変形するこれらの支持領域２４のいずれにあっても、ＤＭＳは力センサ１３として配置されている。図４と５に図示した橋部１０は、支持領域２４に加えて、両端部に四つの新たな支持領域２４を備えている。四つの支持領域から各々二つずつが、プレート全長Ｌ、すなわちプレート２３の各々隣接した部分２３ａ，２３ｂ，２３ｃにおける、両外側の１／３の端部近傍に配置されている。左側の三つの支持領域２４は、各々一つのスペーサを介して第一の接触プレート２７ａと接続しているか、あるいはこの第一の接触プレート２７ａに支持されている。接触プレート２７ａは、好ましくは、例えばミリメートル範囲にあるわずかな間隔Ｈをおいて、プレート２３に対して平行に構成されている。同じような方法で、右側の三つの支持領域２４も、第二の接触プレート２７ｂと接続しているか、あるいはこの第二の接触プレート２７ｂに支持されている。接触プレート２７ａ，２７ｂは、接触手段からの作用を受けており、この接触手段は、担持装置、あるいは担持装置に接続している横方向接続部、あるいはベッドスラットのプレート２３もしくは橋部１０を支持するために使用することができる。代替え的に、あるいはプレート２３の支持箇所２４に加えて、スペーサ２５は弾性構造を備えており、かつ力センサ１３ａとしてのＤＭＳにより構成することができる。図４に図示した実施例の場合、橋部１０は、長手方向桁材３の間の剛体の接続プレートとして構成された、横臥面１の中間部分９に当接する。橋部は接続プレートに簡単に載置できるので、橋部の取付には何の工具も不要である。通常３ｃｍ未満、好ましくは約１ｃｍから１．５ｃｍである、橋部構造高さはより低いので、橋部１０は全く邪魔にならない。マットレスは橋部１０の上に載るので、この橋部１０は横臥面１の一体化された構成要素として、あるいは横臥面１で当接するものと見なすことができる。さらに図５による橋部１０は、スラットフレームの二つの隣接したスラットに容易に載置することができ、これらの隣接したスラットは負荷がかかることなく凸面あるいは凹面の彎曲部を備えている。
【００４６】
部分２３ａ，２３ｂ，２３ｃの接続は関節によるので、プレート２３は、両外側部分２３ａ，２３ｃの接触プレート２７ａ，２７ｂがスラットに当接するようにスラットの輪郭に合っている。それに反して、プレート２３それ自体は、部分２３ａ，２３ｂ，２３ｃのいずれにおいてもスラットには接しない。見方に応じて、橋部１０は支持領域２４を備えたプレート２３を備えているか、あるいは代替え的に付加的にスペーサ２５と接触プレート２７ａ，２７ｂも備えていてもよい。前者の場合、スペーサ２５と接触プレート２７ａ，２７ｂは、接続手段の一部であり、これらの接続手段により橋部１０は担持装置の長手方向桁材３に支持されている。
【００４７】
図６には、理解をよりよくするために、二つあるいはそれより多くの支持領域２４と、このような支持領域の場合に配置された、一つあるいはそれより多くの力センサ１３ａを備えたプレート２３の様々な機構が示してある。機構ａ）の場合、プレート２３はその奥行き方向の両端部の領域において二つの支持領域２４に支持されているが、左側の支持領域２４においてのみセンサを一つ備えている。プレート２３にかかる重量Ｇは、支持領域２４の両方において支持されており、左側の支持領域２４にかかる力をＦＳ１で表す。機構ｂ）の場合、右側の支持領域２４において付加的に、割当てられた支持力ＦＳ２を検出する力センサ１３ａが配置されている。機構ｃ）と機構ｄ）の場合、プレート２３は関節により互いに接続された三つの部分２３ａ，２３ｂ，２３ｃを備えており、かつ三つに分かれた状態でプレート２３の長さにわたって配置された支持領域２４を備えている。この支持領域のどの場合であっても、力センサ１３ａが配置されており、この力センサは各々割当てられた支持力ＦＳ１，ＦＳ２，ＦＳ３，ＦＳ４を記録する。ｃ）の場合、支持領域２４は一平面内にある。それに反してｄ）の場合、プレート２３は平らではない基台に、例えば撓んだベッドスラットに載っている。プレート２３の個々の支持領域２４の位置は、この基台の形状に合っているので、支持領域２４はもはや共通の平面内にはない。
【００４８】
図７には、二つの橋部１０の機構が示してあり、これらの機構において、プレート２３の隣接した端部は中央の接触プレート２７ｃを介してベッドの架台に間接的に支持されている（図示されていない）。両外側の接触プレート２７ａ，２７ｂは、図５による実施形態に対応して、長手方向桁材３に直接または間接的に、あるいは担持装置に直接または間接的にプレート２３を支持する。
【００４９】
図８には橋部１０の特に有利な実施形態が示してあり、金属プレートは二つの部分２３ａ，２３ｂを備えており、これらの部分にあって、両長手方向縁部の領域には、各々幅が約５〜１５ｍｍの幅の狭い帯状部が、９０°だけ変形されているか、あるいは曲げられている。横断面がＵ字状の桁材により、このプレート部分２３ａ，２３ｂの曲げ強さは増す。プレート部分２３ａ，２３ｂの下方では、基底プレートあるいは接触プレート２７が橋部の全長にわたり延びている。接触プレート２７は形状が安定しておりさらに、上側のプレート２３の部分２３ａ，２３ｂよりも、基本的に高い曲げ弾性を備えている。
【００５０】
図９には図８に基づく機構を側面図で概略的に示してある。部分２３ａ，２３ｂは、支持体あるいはスペーサ２５を用いて接触プレート２７で支持される。力センサ１３ａはスペーサ２５と各々の上側のプレート部分２３ａ，２３ｂの間に配置されている。スペーサ２５は各々の上側のプレート部分２３ａ，２３ｂに接続しており、かつ好ましくは接触プレート２７上で固定していない状態で載っている。この機構は（図示していない）ケース内に包まれている。プレート２３、プレート部分２３ａ，２３ｂ，２３ｃおよび／または接触プレート２７が固定していない状態で配置されている場合、ケースはこれらの要素を突き合わせる。ケースの内部空間の形状と大きさは、橋部１０の寸法に合っている。
【００５１】
特にケースは、面ファスナあるいはジッパーで閉鎖可能な開口部および／またはプレート部分２３ａ，２３ｂ，２３ｃを収容しかつ位置決めするための内部空間を備えている（図示していない）。変形された長手方向縁部と同時に、プレート部分２３ａ，２３ｂは、曲げ強さを高める別の要素を、プレート部分２３ａ，２３ｂの下側表面に貼り付けられている長手方向リブ２２の形態で備えている。わずかな高さでもって間隔を維持する際でも、橋部１０は製造でき、橋部の耐屈曲性のプレート部分２３ａ，２３ｂは、アーチ形の横臥面に載せる場合でも、下側の接触プレート２７は接しない。
【図１】
2014524792.tif 000003
【図２】
2014524792.tif 000004
【図３】
2014524792.tif 000005
【図４】
2014524792.tif 000006
【図５】
2014524792.tif 000007
【図６ａ）】
2014524792.tif 000008
【図６ｂ）】
2014524792.tif 000009
【図６ｃ）】
2014524792.tif 000010
【図６ｄ）】
2014524792.tif 000011
【図７】
2014524792.tif 000012
【図８】
2014524792.tif 000013
【図９】
2014524792.tif 000014
【国際調査報告】
2014524792.tif 000015
2014524792.tif 000016
2014524792.tif 000017
2014524792.tif 000018
2014524792.tif 000019
2014524792.tif 000020